(57)【特許請求の範囲】
【請求項１】
消毒液を貯溜するボトルに上下動可能に取り付けられ、プッシュされるプッシュエリアを有するヘッド部と、前記プッシュにより前記消毒液を吐出するノズルと、前記プッシュのたびに前記消毒液を前記ノズルに送るポンプを備えたポンプヘッドであって、前記ヘッド部が、前記消毒液に連通する縦管と前記縦管に連通する孔と、前記孔の外周に起立する壁体と前記壁体で囲まれた空間の底に載置され前記消毒液を漏出するとともに前記縦管に逆流させない逆止弁と、前記逆止弁の上に載置されるスポンジと、前記スポンジの上方に配置されるメッシュカバーと、上面に前記メッシュカバーを露出、脱落させない穴を有し、前記壁体に嵌められるキャップと、からなり、さらに前記メッシュカバーが前記プッシュエリアであり、前記メッシュカバーをプッシュすることでヘッド部が上下動し、前記消毒液がノズルから吐出するに伴い、前記プッシュエリアに、前記ノズルに送られる前記消毒液が前記孔から前記スポンジを介して漏出し、前記プッシュエリアの消毒も行われることを特徴とするポンプヘッド。
【請求項２】
前記漏出を、前記ノズルに送られる消毒液が分岐して、前記プッシュエリアに漏出としたことを特徴とする請求項１に記載のポンプヘッド。
【請求項３】
前記メッシュカバーを、着脱可能としたことを特徴とする請求項１又は請求項２に記載のポンプヘッド。
【請求項４】
前記メッシュカバーが、布又は軟状ポーラスの場合においては、前記キャップと前記壁体とで挟持され、前記メッシュカバーの形状を保持するサポートを備えることを特徴とする請求項１〜請求項３の何れか１項に記載のポンプヘッド。
【発明の詳細な説明】
【技術分野】
【０００１】
本発明は、消毒液を貯溜するボトルに嵌められ、プッシュすることで手指に消毒液を吐出するノズルを備え、衛生的に使用できるポンプヘッドに関する発明である。
【背景技術】
【０００２】
新型コロナウィルスの感染拡大に伴い、会社、店舗、公共施設などの建物、室内の出入り口に、ポンプヘッド付きの消毒液ボトルを設置し、建物、室内への入退出時に手指の消毒をすることが習慣になっている。
【０００３】
従来の消毒液ボトルのポンプヘッドは、非特許文献１に示すように、消毒液を貯溜するボトルに嵌められ、トップのプッシュエリアをプッシュすることで、消毒液をノズルから吐出するものである。
【０００４】
しかしながら、不特定多数の人が出入りする出入り口に設置している消毒液ボトルは、手指消毒前に、不特定の人が汚染されているかもしれない手指で触れている。そのため、プッシュエリアをプッシュした後、手指を消毒するとはいえ、当該プッシュエリアが衛生的でないと感じ、触れたくないと考え、利用していない者も一定数存在する。
【先行技術文献】
【非特許文献】
【０００５】
【非特許文献１】http://www.arbos.co.jp/images/stories/PDF/Arbonurse201709.pdf
【発明の概要】
【発明が解決しようとする課題】
【０００６】
そこで、本発明は、消毒液を貯溜するボトルに嵌められ、プッシュすることで手指に消毒液を吐出するノズルを備え、衛生的に使用できるポンプヘッドを提供することを目的とする。
【課題を解決するための手段】
【０００７】
本発明は、上記課題を解決するために、
（１）
消毒液を貯溜するボトルに上下動可能に取り付けられ、プッシュされるプッシュエリアを有するヘッド部と、前記プッシュにより前記消毒液を吐出するノズルと、前記プッシュのたびに前記消毒液を前記ノズルに送るポンプを備えたポンプヘッドであって、
前記ヘッド部が、
前記消毒液に連通する縦管と
前記縦管に連通する孔と、
前記孔の外周に起立する壁体と
前記壁体で囲まれた空間の底に載置され前記消毒液を漏出するとともに前記縦管に逆流させない逆止弁と、
前記逆止弁の上に載置されるスポンジと、
前記スポンジの上方に配置されるメッシュカバーと、
上面に前記メッシュカバーを露出、脱落させない穴を有し、前記壁体に嵌められるキャップと、
からなり、
さらに前記メッシュカバーが前記プッシュエリアであり、
前記メッシュカバーをプッシュすることでヘッド部が上下動し、前記消毒液がノズルから吐出するに伴い、前記プッシュエリアに、前記前記ノズルに送られる前記消毒液が前記孔から前記スポンジを介して漏出し、前記プッシュエリアの消毒も行われることを特徴とするポンプヘッド。
（２）
前記漏出を、前記ノズルに送られる消毒液が分岐して、前記プッシュエリアに漏出としたことを特徴とする請求項１に記載のポンプヘッド。
（３）
前記メッシュカバーを、着脱可能としたことを特徴とする（１）又は（２）に記載のポンプヘッド。
（４）
前記メッシュカバーが、布又は軟状ポーラスの場合においては、前記キャップと前記壁体とで挟持され、前記メッシュカバーの形状を保持するサポートを備えることを特徴とする（１）〜（３）の何れか１つに記載のポンプヘッド。
とした。
【発明の効果】
【０００８】
本発明は以上の構成であるから、ポンプヘッドのプッシュエリアをプッシュのたびに消毒液を漏出させ、湿らせ、自動的に消毒するとともに、スポンジを介在させることで、プッシュエリアの乾燥を防ぎ、常時プッシュエリアを湿らせ消毒している状態を保持することができる。したがって、衛生的にポンプヘッドを使用でき、不衛生を理由にして手指の消毒を忌避している者の未消毒を防止し、感染症拡散を抑制することができる。
【０００９】
なお、センサー感知によるスプレー式の消毒装置も流通しているが、高価で、商用電源を必要とする場合には、設置場所が制限される。他方、本願発明であれば、安価で、電源を必要とせず、電源供給の制限による設置場所の制限なく、置き場所を選ばない。
【図面の簡単な説明】
【００１０】
【図１】図１は、本発明であるポンプヘッドの斜視模式図である。
【図２】図２は、本発明であるポンプヘッドの一部の側面縦断面図である。
【図３】図３は、本発明であるポンプヘッドの一部の側面縦断面分解図である。
【図４】図４は、メッシュカバー（プッシュエリア）をプッシュしたときの状態変化を示す断面図である。図４（Ａ）は使用待機時、図４（Ｂ）がプッシュ時の状態である。
【発明を実施するための形態】
【００１１】
以下、添付の図面を参照し、本発明の実施の形態について詳細に説明する。なお、本発明は以下の実施例に限定されるものではない。
【実施例１】
【００１２】
図１−３に示すように、本発明であるポンプヘッド１は、消毒液８を貯溜するボトル７に蓋６を介して上下動可能に取り付けられ、プッシュされるプッシュエリア（ここでは、メッシュカバー２ｇ）を有するヘッド部２と、プッシュにより消毒液８を吐出するノズル３と、プッシュのたびに消毒液８をノズル３に送るポンプ４を備えてなり、プッシュに伴いプッシュエリアに消毒液８が漏出し、プッシュエリアの消毒も行われる。
【００１３】
消毒液８の漏出は、例えば、ノズル３に送られる消毒液８が分岐して行われる。他方、プッシュエリアへの量出用に他のタンクを準備してもよい。手指とプッシュエリア消毒用の消毒液８を貯溜するボトルを共通にすれば、簡易構造、低コストで提供できる。
【００１４】
ボトル７は、内部消毒液８を通す内管５を備え、従来のものでよい。消毒液８も従来から使用されているものでよい。また、ポンプ４は、内管５及び後述の縦管２ａと連通し、プッシュエリア（ヘッド部２（メッシュカバー２ｇ））の手指でのプッシュに応じて、ボトル７内部の消毒液８を、内管５から縦管２ａを通しノズル３に送れれば、空気圧による押し出し、或いは減圧吸引など、特に原理は限定されず、従来のポンプを用いることができる。
【００１５】
ヘッド部２は、ボトル７内の消毒液８にポンプ４を介して連通する縦管２ａと、縦管２ａに連通する本体２ｍに穿設した孔２ｂと、孔２ｂの外周の本体２ｍに起立する壁体２ｃと、壁体２ｃと本体２ｍで囲まれた空間２ｄの底に載置され消毒液８を漏出するとともに縦管２ａに逆流させない逆止弁２ｅと、逆止弁２ｅの上に載置されるスポンジ２ｆと、スポンジ２ｆの上方に配置されるメッシュカバー２ｇ（プッシュエリア）と、上面にメッシュカバー２ｇを露出、脱落させない穴２ｉを有し、壁体２ｃに嵌められるキャップ２ｈとからなる。
【００１６】
スポンジ２ｆは、漏出した消毒液８の保持と、逆止弁２ｅの弁の押しつけの機能を有する。逆止弁２ｅを備えることで、プッシュを解除してもスポンジ２ｆが逆止弁２ｅの弁を押し、スポンジ２ｆを配置する空間２ｄとノズル３に送られる消毒液８との連絡が遮断されるので、空間２ｄからノズル３側の消毒液８への逆流がなく、またボトル７側の消毒液８の揮発減少もない。ここで、スポンジ２ｆとは、内部に細かな孔が無数に空いた多孔質の柔らかい物質の塊で、例えば、布の集合も含む。
【００１７】
なお、メッシュカバー２ｇは、図３に示すように、着脱可能である。また、メッシュカバー２ｇが、布又は軟状ポーラスなどの場合においては、キャップ２ｈの縁底と壁体２ｃの平面とで挟持され、メッシュカバー２ｇの形状を保持するサポート２ｎを備える。
【００１８】
ここでは、メッシュカバー２ｇがキャップ２ｈと壁体２ｃに挟持されているが、メッシュカバー２ｇが硬化物であれば、サポート２ｎを介在させず、挟持もされずスポンジ２ｆ上に載置され、上下動しスポンジ２ｆを押圧しつつ、ヘッド部２を上下動させてもよい。メッシュカバー２ｇを押し、下げることで、スポンジ２ｆが圧縮され、スポンジ２ｆに充満していた消毒液８が滲みでてきて、メッシュカバー２ｇ及び手指をより消毒液８で湿らせ、より効果的にそれらの殺菌ができる。
【００１９】
図４に示すように、メッシュカバー２ｇがプッシュエリアであり、メッシュカバー２ｇをプッシュすることでヘッド部２が上下動し、消毒液８がノズル３から吐出するに伴い、ノズル３に送られる消毒液８が孔２ｂからスポンジ２ｆに漏出し、プッシュエリアの消毒が行われる。
【００２０】
壁体２ｃは、スポンジ２ｆ（空間２ｄ）に漏出した消毒液８を漏らさない土手である。壁体２ｃとキャップ２ｈの嵌合は、ねじ部２ｊ、２ｋによる螺合などが例示できるが、その他に着脱式で、スポンジ２ｆが脱落しない方式が採用できる。
【００２１】
孔２ｂの径は、消毒液８のノズル３から吐出圧力、逆止弁２ｅの特性に応じて、消毒液８の適量がスポンジ２ｆへ漏出するよう、適宜決定すればよい。
【符号の説明】
【００２２】
１    ポンプヘッド
２    ヘッド部
２ａ  縦管
２ｂ  孔
２ｃ  壁体
２ｄ  空間
２ｅ  逆止弁
２ｆ  スポンジ
２ｇ  メッシュカバー
２ｈ  キャップ
２ｉ  穴
２ｊ  ねじ部
２ｋ  ねじ部
２ｍ  本体
２ｎ  サポート
３    ノズル
４    ポンプ
５    内管
６    蓋
７    ボトル
８    消毒液
【要約】
【課題】消毒液を貯溜するボトルに嵌められ、プッシュすることで手指に消毒液を吐出するノズルを備え、衛生的に使用できるポンプヘッドを提供する。
【解決手段】消毒液を貯溜するボトルに上下動可能に取り付けられ、プッシュされるプッシュエリアを有するヘッド部と、前記プッシュにより前記消毒液を吐出するノズルと、前記プッシュのたびに前記消毒液を前記ノズルに送るポンプを備えたポンプヘッドであって、
前記プッシュに伴い前記プッシュエリアに前記消毒液が漏出し、前記プッシュエリアの消毒も行われることを特徴とするポンプヘッドの構成とした。
【選択図】図１【図１】
0006840415.tif 000002
【図２】
0006840415.tif 000003
【図３】
0006840415.tif 000004
【図４】
0006840415.tif 000005